(57)【要約】【課題】光ディスク上のトラックが左右対称となっていなくても、最良の再生能力状態を得ることができる光ディスク再生装置を提供する。【解決手段】光ピックアップ２で受光した２つのサブビームの戻り光に基づいてトラッキングエラー信号がトラッキングエラー信号生成手段１３により生成される。２つのサブビームのうちの少なくとも１つのサブビームの光量をサブビーム光量可変手段１２により変化させ、変化させたサブビームの光量に応じたジッタがジッタ測定手段１５により測定され、ジッタが最小になる時のサブビームの光量がサブビーム光量決定手段１１により決定され、この光量のサブービームを用いることにより、トラックが左右対称になっていない光ディスクを再生した場合でも、ジッタを最小にすることができ、最良の再生能力状態にできる。【選択図】      図１
2004335039.tif 000002
【特許請求の範囲】
【請求項１】
光ディスクに記録された情報を再生する光ディスク再生装置において、光ディスクのトラックの中心を目標としてメインビームを照射すると共に前記トラックの両エッジをそれぞれ目標として２つのサブビームを照射し、前記光ディスクからの戻り光を受光する光ピックアップを備え、前記２つのサブビームのうち少なくとも１つのサブビームの光量を変化させ、この変化させたサブビームの光量に応じて測定されるジッタ測定結果に基づいてサブビームの光量を決定する信号処理回路を備えたことを特徴とする光ディスク再生装置。
【請求項２】
光ディスクに記録された情報を再生する光ディスク再生装置において、光ディスクのトラックの中心を目標としてメインビームを照射すると共に前記トラックの両エッジをそれぞれ目標として２つのサブビームを照射し前記メインビームの戻り光と前記２つのサブビームの戻り光を受光する光ピックアップと、前記受光したメインビームの戻り光に基づいて前記光ディスクの記録情報を再生する再生手段と、前記受光したメインビームの戻り光に基づいてジッタを測定するジッタ測定手段と、前記２つのサブビームの戻り光に基づいてトラッキングサーボのためのトラッキングエラー信号を生成するトラッキングエラー信号生成手段と、前記２つのサブビームのうち少なくとも１つのサブビームの光量を可変するサブビーム光量可変手段と、前記サブビーム光量可変手段によるサブビーム光量の変化に応じて前記ジッタ測定手段によって測定されるジッタ測定結果に基づいて前記サブビームの光量を決定するサブビーム光量決定手段とを備えたことを特徴とする光ディスク再生装置。
【請求項３】
再生する光ディスクが変わった時、前記ジッタ測定結果に基づいて前記サブビームの光量を調整することを特徴とする請求項２に記載の光ディスク再生装置。
【請求項４】
所定の条件に到達した時、前記ジッタ測定結果に基づいて前記サブビームの光量を調整することを特徴とする請求項２に記載の光ディスク再生装置。
【請求項５】
前記所定の条件とは、ジッタが予め定めた規定値よりも悪化した時であることを特徴とする請求項４に記載の光ディスク再生装置。
【請求項６】
前記ジッタ測定結果に基づいて決定されるサブビームの光量はジッタが最小となった時のサブビームの光量であることを特徴とする請求項１または請求項２に記載の光ディスク再生装置。
【発明の詳細な説明】
【０００１】
【発明の属する技術分野】
本発明は、光ディスクに記録した情報を再生する光ディスク再生装置に関し、特に、メインビームと２つのサブビームとの３つの光ビームを用いた３ビーム方式の光ディスク再生装置に関する。
【０００２】
【従来の技術】
従来から３ビーム方式の光ディスク再生装置には、光ピックアップから出射されるレーザ光のビームを光ディスクのトラックに追従させる制御を行うトラッキングサーボ機構が備えられている。光ピックアップは、光ディスクのトラックの中心を目標としてメインビームを照射すると共に、前記トラックの両エッジをそれぞれ目標として２つのサブビームを照射し、前記光ディスクからの戻り光を受光し、この戻り光を電気信号に変換してＲＦ信号を出力するように構成されている。
【０００３】
光ピックアップは、例えば、図６に示すように、光ディスクのトラックＴの中心を目標としてメインビームＡを照射すると共に、トラックＴの一方のエッジを目標としてサブビームＢを照射し、また、トラックＴの他方のエッジを目標としてサブビームＣを照射する。そして、光ピックアップでは、メインビームＡの戻り光を電気信号に変換した信号を、光ディスクに記録された情報を示す信号として出力する。また、光ピックアップでは、サブビームＢの戻り光を電気信号に変換したサブビーム戻り信号ｂと、サブビームＣの戻り光を電気信号に変換したサブビーム戻り信号ｃとを出力する。前記サブビーム戻り信号ｂと前記サブビーム戻り信号ｃは、光ピックアップが光ディスク上のトラックを追従するためのトラッキングエラー信号（トラッキング誤差信号）を生成するために用いられる。
【０００４】
図７はトラッキングエラー信号生成手段に含まれる比較器６０を示し、この比較器６０の非反転入力端子６１には前記サブビーム戻り信号ｂが入力され、その反転入力端子６２には前記サブビーム戻り信号ｃが入力される。これにより、比較器６０の出力端子６３からは、前記サブビーム戻り信号ｂと前記サブビーム戻り信号ｃとの差であるトラッキングエラー信号（トラッキング誤差信号）が出力される。メインビームＡがトラックＴの中心を照射した場合、即ち、サブビームＢ，Ｃが同じだけトラックＴにかかってそれぞれ同じ光量が戻る時は、比較器６０から出力されるトラッキングエラー信号は０Ｖとなる。
【０００５】
また、メインビームＡがトラックＴの中心よりも図６から見て右方にずれた場合は、サブビームＢの戻り光の光量がサブビームＣの戻り光の光量よりも小さくなり、比較器６０において、入力端子６１に入力されるサブビーム戻り信号ｂの電圧レベルが入力端子６２に入力されるサブビーム戻り信号ｃの電圧レベルよりも低くなり、この結果、出力端子６３から出力されるトラッキングエラー信号の電圧は負の電圧となる。
【０００６】
逆に、メインビームＡがトラックＴの中心よりも図６から見て左方にずれた場合は、サブビームＢの戻り光の光量がサブビームＣの戻り光の光量よりも大きくなり、比較器６０において、入力端子６１に入力されるサブビーム戻り信号ｂの電圧レベルが入力端子６２に入力されるサブビーム戻り信号ｃの電圧レベルよりも高くなり、この結果、出力端子６３から出力されるトラッキングエラー信号の電圧は正の電圧となる。
【０００７】
このようにして比較器６０から出力されるトラッキングエラー信号は、サーボ回路に供給され、トラッキングエラー信号の電圧レベルが０Ｖになるように光ピックアップが位置制御される。即ち、光ピックアップからのメインビームＡがトラックＴの中心（センター）を照射するように、光ピックアップが位置制御される。このように従来の光ディスク再生装置は、光ピックアップからのメインビームＡがトラックＴの中心を通るようにトレースすることにより、光ディスクに書かれた情報信号を確実にメインビームＡにより読み取り、最良の再生能力状態（プレイアビリティー）を得て、ジッタを最小にしている。
【０００８】
【特許文献１】
特開平６−９６４６５号公報
【０００９】
【発明が解決しようとする課題】
しかしながら、従来の光ディスク再生装置では、最良の再生能力状態が可能なように、光ピックアップからのメインビームが光ディスクのトラックの中心を照射するようにトラッキングサーボの制御を行っている。このような制御を精度良く行うには例えば図２に示すようにトラックＴの両端がトラックＴの中心Ｈに対して左右対称であることが前提となるが、実際に市販されている光ディスクの中にはトラックの中心がずれた光ディスクや、例えば図３に示すようにトラックＴのエッジに凸部３１があったり、図４に示すようにトラックＴのエッジに凹部３２があったりすると、トラックＴは左右対称とならず、この場合、光ピックアップからのメインビームがトラックＴの完全な中心をトレースしないことになり、最良の再生能力状態を得ることができないという課題が生じる。
【００１０】
なお、特許文献１に記載の光学的情報記録再生装置は、レーザーからの光束を投光光学系を介し、微小な光スポットとして情報記録面の情報トラック上に結像し、該情報記録面からの反射光／または透過光を、受光光学系を介し、第１の光検出器に導き、前記情報記録面上に情報の記録と再生を行うもので、例えば、前記投光光学系光路中に、光束の一部を取り出すビームスプリッタと、該取り出した光束を検出するため少なくとも前記情報トラック垂直方向の分割線で分割された第２の光検出器とを有している。
【００１１】
そして、この構成の光学的情報記録再生装置によれば、ディスクのトラック上に微小な光スポットをトラックの中心に結像して、その光スポットのトラックの平行方向に対する対称性を検出し、この対称性の誤差信号をトラッキングエラー信号として用いている。しかしながら、この光学的情報記録再生装置は、トラック上には１つの光スポットしか結像していないので、図６に示すようにメインビームＡとサブビームＢとサブビームＣとを光ディスクのトラックＴに照射し、サブビームＢの戻り光とサブビームＣの戻り光とにより、トラッキングエラー信号を生成する３ビーム方式の光ディスク再生装置の構成とは異なり、この３ビーム方式の光ディスク再生装置に比べトラッキングサーボの精度が劣り、また、従来の３ビーム方式の光ディスク再生装置で説明したような上記課題を解決するものではない。
【００１２】
本発明は、上記のような課題を解決するためになされたもので、光ディスク上のトラックが左右対称となっていなくても、最良の再生能力状態を得ることができる光ディスク再生装置を提供することを目的とする。
【００１３】
【課題を解決するための手段】
上記目的を達成するため、本発明は、光ディスクのトラックの中心を目標としてメインビームを照射すると共に前記トラックの両エッジをそれぞれ目標として２つのサブビームを照射し、前記光ディスクからの戻り光を受光する光ピックアップを備え、前記２つのサブビームのうち少なくとも１つのサブビームの光量を変化させ、この変化させたサブビームの光量に応じて測定されるジッタ測定結果に基づいてサブビームの光量を決定する信号処理回路を備えたことを特徴とする光ディスク再生装置を提供する。
【００１４】
この構成において、光ピックアップから出射される２つのサブビームのうち少なくとも１つのサブビームの光量を変化させると、ジッタも変化するので、変化させたサブビームの光量に応じたジッタを測定し、例えばジッタが最小になる時のサブビームの光量を決定する。このようにして光量が決定されたサブビームを用いることにより、トラックが左右対称になっていない光ディスクを再生した場合でも、ジッタを最小にすることができ、したがって、安定した性能および最良の再生能力状態（プレイアビリティー）が得られ、再生精度が向上する。
【００１５】
また、本発明は、光ディスクのトラックの中心を目標としてメインビームを照射すると共に前記トラックの両エッジをそれぞれ目標として２つのサブビームを照射し前記メインビームの戻り光と前記２つのサブビームの戻り光を受光する光ピックアップと、前記受光したメインビームの戻り光に基づいて前記光ディスクの記録情報を再生する再生手段と、前記受光したメインビームの戻り光に基づいてジッタを測定するジッタ測定手段と、前記２つのサブビームの戻り光に基づいてトラッキングサーボのためのトラッキングエラー信号を生成するトラッキングエラー信号生成手段と、前記２つのサブビームのうち少なくとも１つのサブビームの光量を可変するサブビーム光量可変手段と、前記サブビーム光量可変手段によるサブビーム光量の変化に応じて前記ジッタ測定手段によって測定されるジッタ測定結果に基づいて前記サブビームの光量を決定するサブビーム光量決定手段とを備えたことを特徴とする光ディスク再生装置を提供する。
【００１６】
この構成において、光ピックアップで受光したメインビームの戻り光に基づいて、光ディスクの記録情報が再生手段により再生される。また、光ピックアップで受光したメインビームの戻り光に基づいて、ジッタがジッタ測定手段により測定される。更に、光ピックアップで受光した２つのサブビームの戻り光に基づいて、トラッキングエラー信号がトラッキングエラー信号生成手段により生成される。前記２つのサブビームのうち少なくとも１つのサブビームの光量をサブビーム光量可変手段により変化させ、変化させたサブビームの光量に応じたジッタがジッタ測定手段により測定され、例えばジッタが最小になる時のサブビームの光量がサブビーム光量決定手段により決定される。このようにして光量が決定されたサブビームを用いることにより、トラックが左右対称になっていない光ディスクを再生した場合でも、ジッタを最小にすることができ、したがって、安定した性能および最良の再生能力状態（プレイアビリティー）が得られ、再生精度が向上する。
【００１７】
好ましくは、再生する光ディスクが変わった時、前記ジッタ測定結果に基づいて前記サブビームの光量を調整するので、光ディスクに左右されず、常に安定した性能および最良な再生能力状態（プレイアビリティー）を得ることが可能になる。
【００１８】
好ましくは、所定の条件に到達した時、前記ジッタ測定結果に基づいて前記サブビームの光量を調整するので、常に安定した性能および最良な再生能力状態（プレイアビリティー）を得ることが可能になる。
【００１９】
前記所定の条件とはジッタが予め定めた規定値よりも悪化した時であるので、ジッタが悪化すると、前記サブビームの光量が調整され、安定した性能および最良な再生能力状態（プレイアビリティー）を得ることが可能になる。
【００２０】
好ましくは、前記ジッタ測定結果に基づいて決定されるサブビームの光量は、ジッタが最小となった時のサブビームの光量であるので、ジッタを最小にすることができ、安定した性能および最良な再生能力状態（プレイアビリティー）を得ることが可能になる。
【００２１】
【発明の実施の形態】
以下、添付図面を参照しつつ、本発明の実施の形態について説明する。図１は本発明の一実施形態に係る光ディスク再生装置の構成を示すブロック図である。図１において、この光ディスク再生装置は、記録媒体であるＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光ディスク１の記録面にレーザ光（メインビームと２つのサブビーム）を照射すると共に光ディスク１からの戻り光を受光して読取信号を出力する光ピックアップ２と、光ディスク１を回転させるスピンドルモーター３と、光ピックアップ２を光ディスク１の半径方向にスライドさせるスライドメカニズム４と、スピンドルモーター３およびスライドメカニズム４を駆動させると共に光ディスク１上のトラックに対する光ピックアップ２のフォーカシングとトラッキングを行う機構を駆動させるモータードライバ６とを備えている。
【００２２】
また、この光ディスク再生装置は、光ディスク１の記録情報を読み取って光ピックアップ２から出力されたＲＦ信号を増幅するＲＦアンプ５と、このＲＦアンプ５からのＲＦ信号を入力して所定の信号処理を行う信号処理回路９とを備えている。この信号処理回路９は、メインビームの戻り光に基づくＲＦアンプ５からのＲＦ信号を入力してデータと同期信号を分離し、この分離されたデータをデコード化することによりエラーチェックを行い、データに誤りがある場合はエラー訂正を行って正しいデータを作成し、更に、その正しいデータをデコード化してビデオ信号とオーディオ信号を出力する再生手段１６を備えている。
【００２３】
また、この信号処理回路９は、光ピックアップ２で受光したメインビームの戻り光に基づくＲＦアンプ５からのＲＦ信号によりジッタを測定するジッタ測定手段１５と、前記２つのサブビームの戻り光に基づくＲＦアンプ５からのＲＦ信号により光ピックアップ２に対するトラッキングサーボのためのトラッキングエラー信号を生成するトラッキングエラー信号生成手段１３と、ＲＦアンプ５からのＲＦ信号により光ピックアップ２に対するフォーカシングサーボのためのフォーカシングエラー信号を生成するフォーカシングエラー信号生成手段１４と、前記２つのサブビームのうち少なくとも１つのサブビームの光量を可変するサブビーム光量可変手段１２と、このサブビーム光量可変手段１２によるサブビームの光量の変化に応じてジッタ測定手段１５によって測定されるジッタ測定結果に基づいて前記サブビームの光量を決定するサブビーム光量決定手段１１とを備えている。
【００２４】
また、この光ディスク再生装置は、ＲＦアンプ５からのＲＦ信号と、信号処理回路９からのサーボ信号（トラッキングエラー信号やフォーカシングエラー信号等）とを入力し、ＲＦ信号とサーボ信号に従ってモータードライバ６を駆動させるサーボ回路７を備えている。また、この光ディスク再生装置は、サーボ回路７および信号処理回路９を制御する制御用マイコン（マイクロコンピュータ）８を備えている。
【００２５】
以下、このような構成を有する光ディスク再生装置において、本実施形態の特徴とするサブビーム光量の調整動作について説明する。光ディスク１のトラックに記録された情報を光ピックアップ２により読み取るために、図６に示すようにメインビームＡをトラックＴの中心に配置し、このメインビームＡの前後で等間隔の位置に同光量を照射するサブビームＢ，Ｃを配置する。光ピックアップ２から出射されたメインビームＡがトラックＴの中心（センター）を通るには、それぞれのサブビームＢ，Ｃからの戻り光の光量が等しくなり、トラッキングエラー信号（トラッキング誤差信号）が０（電圧が０）となるように制御する。
【００２６】
このようにトラッキングエラー信号を０となるように制御する条件下で、サブビームＢ，Ｃのうち、サブビーム光量可変手段１２により、一方のサブビームの出射光量を他方のサブビームの出射光量に対して相対的に変更し、ジッタ測定手段１５によりジッタを測定する。
【００２７】
例えば、サブビームＢの出射光量を一定のＥとし、サブビームＣの出射光量をαＥ（但し  α＝０．７，０．８，０．９，１．０，１．１，１．２，１．３）としたとき、ジッタ測定手段１５によりジッタを測定する。  前記αＥは  α×Ｅのことを示す。前記測定により、ジッタが最小となった時のサブビームＣの出射光量を、トラックＴの中心をトレースするための最適値として固定する。即ち、サブビーム光量決定手段１０は、サブビーム光量可変手段１２によるサブビーム光量（この例ではサブビームＣの出射光量）の変化に応じてジッタ測定手段１５によって測定される測定結果（ジッタが最小になる時の測定結果）によってサブビームＣの出射光量を決定する。
【００２８】
例えば、サブビームＢの出射光量をＥ、  サブビームＣの出射光量を０．９Ｅにそれぞれ固定し、トラッキングエラー信号生成手段１３で生成されるトラッキングエラー信号が０となるように制御する。
【００２９】
以上説明したサブビーム光量の調整動作を、図５に示すフローチャートを参照して説明する。先ず、光ピックアップ２は、サブビームＢとサブビームＣとが同光量Ｅを出射する（ステップＳ１）。  そして、信号処理回路９は、サブビームＢの戻り光とサブビームＣの戻り光とによりトラッキングエラー信号が０になるようにサーボ回路７を介して光ピックアップ２を制御する（ステップＳ２）。  この条件下で、信号処理回路９のジッタ測定手段１５はジッタを測定する（ステップＳ３）。
【００３０】
次に、サブビームＢの出射光量を一定の光量Ｅとし、これに対してサブビームＣの出射光量αＥを変更する（ステップＳ４）。例えば、α＝０．７とすることにより、サブビームＣの出射光量が  ０．７Ｅとなり、サブビームＢの出射光量Ｅで、サブビームＣの出射光量が  ０．７Ｅである状態において、トラッキングエラー信号が０になるように制御し（ステップＳ２）、  この時のジッタを測定する（ステップＳ３）。次に、α＝０．８とすることにより、サブビームＣの出射光量が０．８Ｅとなり、サブビームＢの出射光量Ｅで、サブビームＣの出射光量が０．８Ｅである状態において、トラッキングエラー信号が０になるように制御し（ステップＳ２）、  この時のジッタを測定する（ステップＳ３）。
【００３１】
このように  α＝０．７，０．８，０．９，１．０，１．１，１．２，１．３というように順次変更していき（ステップＳ４）、  トラッキングエラー信号が０になるように制御し（ステップＳ２）、この時のジッタを測定していく（ステップＳ３）。そして、以上測定したジッタの中からジッタ最小時のサブビームＣの出射光量αＥをサブビーム光量決定手段１１により決定し、サブビームＢの出射光量ＥとサブビームＣの出射光量αＥを固定する（ステップＳ５）。  例えば、ジッタ最小時におけるサブビームＣの出射光量が  ０．９Ｅであれば、サブビームの出射光量を０．９Ｅに固定し、トラッキングエラー信号が０となるように制御する。
【００３２】
以上説明した光ディスク再生装置によれば、上記で説明したサブビーム光量の調整動作を光ディスクが変わる毎に適用することにより、図３や図４に示すようにトラックＴの中心に対してエッジが対称でない光ディスクの場合でも、常にトラックＴの中心を光ピックアップ２からのメインビームＡが通ることとなり、最良の再生能力状態（プレイアビリティー）を得て、ジッタを最小にすることができる。また、光ディスクが変わる毎にサブビーム光量の調整動作を行うだけでなく、ジッタが予め定めた規定値より悪化した場合に、サブビームの最適値の測定を行ってこの最適値を固定することにより、常に最良の再生能力状態を得て、安定した性能を保つことができる。
【００３３】
【発明の効果】
以上のように本発明によれば、光ピックアップから出射される２つのサブビームのうちの少なくとも１つのサブビームの光量を変化させ、この変化させたサブビームの光量に応じて測定されるジッタ測定結果に基づいてサブビームの光量を決定する信号処理回路を備えたので、トラックが左右対称になっていない光ディスクを再生した場合でも、ジッタを最小にすることができ、したがって、安定した性能および最良の再生能力状態（プレイアビリティー）が得られ、再生精度が向上する。
【００３４】
また、本発明によれば、メインビームの戻り光に基づいて光ディスクの記録情報を再生する再生手段と、メインビームの戻り光に基づいてジッタを測定するジッタ測定手段と、２つのサブビームの戻り光に基づいてトラッキングサーボのためのトラッキングエラー信号を生成するトラッキングエラー信号生成手段と、前記２つのサブビームのうちの少なくとも１つのサブビームの光量を可変するサブビーム光量可変手段と、このサブビーム光量可変手段によるサブビーム光量の変化に応じてジッタ測定手段によって測定されるジッタ測定結果に基づいてサブビームの光量を決定するサブビーム光量決定手段とを備えたので、トラックが左右対称になっていない光ディスクを再生した場合でも、ジッタを最小にすることができ、したがって、安定した性能および最良の再生能力状態（プレイアビリティー）が得られ、再生精度が向上する。
【図面の簡単な説明】
【図１】本発明の一実施形態に係る光ディスク再生装置の構成を示すブロック図である。
【図２】前記実施形態において光ディスク上のトラックが中心に対して均等なトラック断面を説明するための図である。
【図３】前記実施形態において光ディスク上のトラックにエッジに凸部があり中心に対して均等でないトラック断面を説明するための図である。
【図４】前記実施形態において光ディスク上のトラックにエッジに凹部があり中心に対して均等でないトラック断面を説明するための図である。
【図５】前記実施形態においてサブビーム光量の調整制御を説明するためのフローチャートである。
【図６】前記実施形態および従来の光ディスク再生装置におけるメインビームとサブビームが光ディスク上のトラックに照射された光スポットの状態を説明するための図である。
【図７】図６で説明される２つのサブビームの戻り光を電気信号に変換した信号を入力してトラッキングエラー信号を生成する比較器を示す図である。
【符号の説明】
１    光ディスク
２    光ピックアップ
９    信号処理回路
１０    サブビーム光量測定手段
１１    サブビーム光量決定手段
１２    サブビーム光量可変手段
１３    トラッキングエラー信号生成手段
１５    ジッタ測定手段
【図１】
2004335039.tif 000003
【図２】
2004335039.tif 000004
【図３】
2004335039.tif 000005
【図４】
2004335039.tif 000006
【図５】
2004335039.tif 000007
【図６】
2004335039.tif 000008
【図７】
2004335039.tif 000009